(57)【特許請求の範囲】
【請求項１】
シートを収納するシート収納部が装置本体に着脱自在に装着され、該シート収納部の最上位のシートから順に給送するようにした給紙装置において、
前記シート収納部が前記装置本体に装着されると、前記シート収納部に積載されているシートを上部から平面で押圧してシートの変形を防止するための押圧手段と、
前記シートの給送開始から終了までの間に前記押圧手段によるシートの押圧を解除し、且つ、前記シート収納部の引き出しにより前記押圧手段によるシートの押圧を解除する押圧解除手段と、
を備えたことを特徴とする給紙装置。
【請求項２】
前記押圧解除手段は、
前記押圧手段を、シートを押圧する位置とシートの押圧を解除する位置との間で移動可能に支持する支持手段と、
前記押圧手段を移動させるために前記支持手段を駆動する駆動手段と、
前記シート収納部の前記装置本体への着脱を検知する検知手段と、
前記検知手段の検知に基づいて前記押圧手段を移動させるように前記駆動手段を制御する制御手段と、
を有することを特徴とする請求項１記載の給紙装置。
【請求項３】
前記支持手段は、前記押圧手段が接続された回動可能な回動レバーを有し、前記駆動手段が前記回動レバーを回動させるソレノイドを有することを特徴とする請求項２に記載の給紙装置。
【請求項４】
前記シート収納部に収納されているシートの種類に応じた信号を出力する紙種信号発生手段を有し、該紙種信号発生手段により所定の紙種の信号が出力されたときに、該信号に応じて前記制御手段は、前記シート収納部が前記装置本体に装着されていても前記押圧手段を解除位置に移動させるように前記駆動手段を制御する、
ことを特徴とする請求項２または請求項３に記載の給紙装置。
【請求項５】
前記紙種信号発生手段は、
前記シート収納部に設けられ、収納されているシートの種類を設定する設定手段と、
前記装置本体に設けられ、前記設定手段を検知して前記シート収納部に収納されているシートの種類に応じた信号を発生する設定検知手段と、
を有することを特徴とする請求項４に記載の給紙装置。
【請求項６】
前記制御手段は、シート収納部からシートを送り出すときに前記押圧手段の押圧を解除する位置に移動させるように前記駆動手段を制御することを特徴とする請求項２に記載の給紙装置。
【請求項７】
前記押圧手段のシートとの接触面側に低摩擦手段を設けたことを特徴とする請求項１に記載の給紙装置。
【請求項８】
シートを収納するシート収納部が装置本体に着脱自在に装着され、該シート収納部の最上位のシートから順に給送するようにした給紙装置において、
前記シート収納部の装着により前記シートを上部から押圧する押圧手段と、
前記シート収納部の引き出しにより前記押圧手段によるシートの押圧を解除する押圧解除手段と、を備え、
前記押圧解除手段は、前記シート収納部の引き出し動作に連動して回動する回動レバーを有し、該回動レバーの回動によって前記押圧手段をシートの押圧位置からシートの押圧を解除する位置へ移動させることを特徴とする給紙装置。
【請求項９】
前記押圧手段をシートの押圧位置からシートの押圧を解除する位置へ向けて移動させるように前記回動レバーを付勢する解除バネが設けられており、前記シート収納部が前記装置本体に装着されたときに、前記解除バネの付勢力に抗して、前記押圧手段が押圧位置に位置するように前記回動レバーを回動させるための係合部を前記シート収納部に設けたことを特徴する請求項８に記載の給紙装置。
【請求項１０】
前記押圧手段とシートとの接触面側に、前記シート収納部から搬送されるシートに連れ回る回転コロを設けたことを特徴とする請求項８に記載の給紙装置。
【請求項１１】
前記請求項１ないし１０のいずれか１項に記載の給紙装置と、
前記給紙装置から送り出されるシートに画像を形成する画像形成手段と、を有することを特徴とする画像形成装置。
【発明の詳細な説明】
【０００１】
【発明の属する技術分野】
本発明は、複写機、プリンタなどの画像形成装置本体にシートを給送する給紙装置および画像形成装置に関するものである。
【０００２】
【従来の技術】
従来の給紙装置は、例えば図８に示すようにシートを積載するシート収納部としてのシートカセット１と、このシートカセット１内に収容されたシートを繰り出すピックアップローラ３と、このピックアップローラ３によって繰り出されたシートを協働作用により１枚ずつ分離、給送するフィードローラ４およびリタードローラ５と、このフィードローラ４およびリタードローラ５によって１枚ずつ分離されたシートを画像形成部Ｃへ給送する搬送ローラ１０４，１０５とを備えたものがある。
【０００３】
ところで、シートカセット１には、図９および図１０に示すようにシートサイズに応じて給紙長さ方向および幅方向からシートを揃える支持部材１１ａ，１１ｂが立設されている。このようなシートカセット１には、積載シートの浮き上がりを上方から規制する規制手段がないタイプ（図９参照）や、浮き上がりを上方から規制する規制手段であるボス９０１が突設されたタイプ（図１０参照）がある。
【０００４】
【発明が解決しようとする課題】
しかしながら、上述の給紙装置では、積載シートの浮き上がりを上方から規制する規制手段がないタイプは勿論のこと、ボス９０１が突設されたタイプでも以下に示すような問題点があった。
【０００５】
すなわち、図９に示すシートカセット１はシートの浮き上がりを規制する手段がなく、積載された状態で待機しているシートが自由に上下方向に移動可能であるために、環境によっては中央部が盛り上がったりして、シートが変形する場合がある。また、図１０に示すシートカセット１も、同様にシートの周囲をボス９０１によって抑えているだけであるため、シートの中央部が盛り上がったりして、シートが変形することがある。
【０００６】
このため、シートが平面状態にある場合に比べて、シートの中央部が盛り上がった変形状態の場合は、シートの給紙方向への繰り出し力が増加する。そして、ピックアップローラ３によって押圧されるシートの周辺が盛り上がると、ピックアップローラ３の押圧する高さが変わって押圧力が変化し、シートの搬送力に影響を与え、シートの繰り出し不良や重送や連送（連れ送り）などの給紙不良が発生する場合があった。
【０００７】
また、シートが変形しているため、搬送途中でジャムや斜行などの搬送不良が発生したり、画像記録の不良が発生したりするという問題点があった。
【０００８】
また、多機能複写機では、プリンタの用途として、ダイレクトメールの宛名や差出人のプリントを行うため、複写紙として封筒を給紙することが多いが、封筒は、袋状にするため一部が折り返して糊付けされていたり、封をする部分が折り返されている。このため、二重になっている部分や糊で固定されている部分があり、環境の変化により伸縮が起きると、一般の記録シートより、反ったり、ゆがんだりして、変形しやすい。
【０００９】
また、封筒は一般の記録シートより腰があるため、一度変形すると、元に戻りにくい。このため、通常の記録シートより、前述の送り出し不良や重送や連想などの給紙不良およびジャムや斜行などの搬送不良が発生し易い。また、変形した封筒は腰があるため、記録を行うと画像歪みなどの記録画像不良が発生しやすいという問題点があった。
【００１０】
本発明は、上記のような問題点を解決するためになされたもので、シートの反り、歪みなどの変形を防止し、給紙不良や搬送不良や画像記録不良の発生を防止するようにした給紙装置および画像形成装置を提供することを目的とする。
【００１１】
【課題を解決するための手段】
上記目的を達成するため、請求項１記載の発明は、シートを収納するシート収納部が装置本体に着脱自在に装着され、該シート収納部の最上位のシートから順に給送するようにした給紙装置において、前記シート収納部が前記装置本体に装着されると、前記シート収納部に積載されているシートを上部から平面で押圧してシートの変形を防止するための押圧手段と、前記シートの給送開始から終了までの間に前記押圧手段によるシートの押圧を解除し、且つ、前記シート収納部の引き出しにより前記押圧手段によるシートの押圧を解除する押圧解除手段と、を備えたことを特徴とする。
【００１２】
請求項２記載の発明によれば、前記押圧解除手段は、前記押圧手段を、シートを押圧する位置とシートの押圧を解除する位置との間で移動可能に支持する支持手段と、前記押圧手段を移動させるために前記支持手段を駆動する駆動手段と、前記シート収納部の前記装置本体への着脱を検知する検知手段と、前記検知手段の検知に基づいて前記押圧手段を移動させるように前記駆動手段を制御する制御手段と、を有する。
【００１３】
請求項３記載の発明によれば、前記支持手段は、前記押圧手段が接続された回動可能な回動レバーを有し、前記駆動手段が前記回動レバーを回動させるソレノイドを有する。
【００１４】
請求項４記載の発明は、前記シート収納部に収納されているシートの種類に応じた信号を出力する紙種信号発生手段を有し、該紙種信号発生手段により所定の紙種の信号が出力されたときに、該信号に応じて前記制御手段は、前記シート収納部が前記装置本体に装着されていても前記押圧手段を解除位置に移動させるように前記駆動手段を制御する。
【００１５】
請求項５記載の発明によれば、前記紙種信号発生手段は、前記シート収納部に設けられ、収納されているシートの種類を設定する設定手段と、前記装置本体に設けられ、前記設定手段を検知して前記シート収納部に収納されているシートの種類に応じた信号を発生する設定検知手段と、を有する。
【００１６】
請求項６記載の発明によれば、前記制御手段は、シート収納部からシートを送り出すときに前記押圧手段の押圧を解除する位置に移動させるように前記駆動手段を制御する。
【００１７】
請求項７記載の発明は、前記押圧手段のシートとの接触面側に低摩擦手段を設けたことを特徴とする。
【００１８】
請求項８記載の発明は、シートを収納するシート収納部が装置本体に着脱自在に装着され、該シート収納部の最上位のシートから順に給送するようにした給紙装置において、前記シート収納部の装着により前記シートを上部から押圧する押圧手段と、前記シート収納部の引き出しにより前記押圧手段によるシートの押圧を解除する押圧解除手段と、を備え、前記押圧解除手段は、前記シート収納部の引き出し動作に連動して回動する回動レバーを有し、該回動レバーの回動によって前記押圧手段をシートの押圧位置からシートの押圧を解除する位置へ移動させることを特徴とする。
【００１９】
請求項９記載の発明は、前記押圧手段をシートの押圧位置からシートの押圧を解除する位置へ向けて移動させるように前記回動レバーを付勢する解除バネが設けられており、前記シート収納部が前記装置本体に装着されたときに、前記解除バネの付勢力に抗して、前記押圧手段が押圧位置に位置するように前記回動レバーを回動させるための係合部を前記シート収納部に設けたことを特徴とする。
【００２０】
請求項１０記載の発明は、前記押圧手段とシートとの接触面側に、前記シート収納部から搬送されるシートに連れ回る回転コロを設けたことを特徴とする。
【００２１】
請求項１１記載の発明は、前記請求項１ないし１０のいずれか１項に記載の給紙装置と、前記給紙装置から送り出されるシートに画像を形成する画像形成手段と、を有することを特徴とする。
【００２２】
【発明の実施の形態】
以下、本発明の実施の形態を図面を参照して詳細に説明する。
〈第１の実施の形態〉
図１は、画像形成装置本体の全体構成を説明する概略構成図、図２は、本発明の第１の実施の形態を示す斜視図である。
【００２３】
図１において、画像形成装置１０は、画像形成装置本体Ａの上部に配設され、ブック原稿やシート状原稿などの原稿の画像面を読み取る画像読取り手段であるスキャナ部Ｂと、スキャナ部Ｂが読み取った画像面の画像情報に基づいて画像形成する画像形成部Ｃと、画像形成装置本体Ａの下部に組み付けられるシートデッキＤとを有する構成である。
【００２４】
スキャナ部Ｂは、走査系光源２０１、プラテンガラス２０２、このプラテンガラス２０２に対して開閉可能な原稿圧板２０３、ミラー２０４、レンズ２０５および受光素子（光電変換素子）２０６および画像処理部などを備えている。
【００２５】
そして、プラテンガラス２０２上に本などのブック原稿や厚紙やカール紙などのシート状原稿などの原稿を読み取り面を下側にして載置し、原稿圧板２０３により原稿背面を押圧して静止状態でセットし、読み取り開始キーを押すと、走査系光源２０１がプラテンガラス２０２の下部を図１に示す矢印ａ方向に走査して原稿面の画像情報を読み取る。走査系光源２０１により読み取られた原稿の画像情報は画像処理部で処理され、電気信号に変換されてレーザースキャナ１１１に伝送される。
【００２６】
ここで、画像形成装置本体Ａは、レーザースキャナ１１１に画像処理部の処理信号を入力すれば、複写機として機能し、パーソナルコンピュータの出力信号を入力すればプリンタとして機能する。また、他機のファクシミリ装置からの送信信号を入力したり、画像処理部の処理信号を他機のファクシミリ装置に送信すれば、ファクシミリ装置として機能する。
【００２７】
一方、画像形成手段としての画像形成部Ｃの下部にはシート収納部としてのシートカセット１を装着しており、このシートカセット１は下段カセット１ａと上段カセット１ｂの２個で１つの給送ユニットとして構成されている。本実施形態では３つの給送ユニットＵ１，Ｕ２，Ｕ３を装着して６個のカセットを装着するようにしている。
【００２８】
そして、上方に位置する１つの給送ユニットＵ１は、画像形成部Ｃの下部に着脱可能に取り付けられ、下方に位置する２つの給送ユニットＵ２，Ｕ３は、シートデッキＤに着脱可能に取り付けられている。
【００２９】
前記カセット１ａ，１ｂ内に収容されたシートは、ピックアップローラ３により繰り出され、フィードローラ４と、リタードローラ５との協働作用により１枚ずつ分離、給送された後、搬送ローラ１０４，１０５によって搬送され、レジストローラ１０６に導かれ、該レジストローラ１０６によって画像形成動作に同期するようにして画像形成部Ｃへと給送される。
【００３０】
画像形成部Ｃは、一次帯電器１１０、電子写真感光体ドラム１１２、画像書き込み光学系１１３、現像器１１４および転写帯電器１１５などを有して構成されている。そして、一次帯電器１１０により表面が一様に帯電された感光体ドラム１１２は、レーザースキャナ１１１から射出された画像情報に対応するレーザー光が画像書き込み光学系１１３により走査されて潜像が形成される。次いで、感光体ドラム１１２は、潜像を現像器１１４により可視像化することによってトナー画像が形成される。レジストローラ１０６によって感光体ドラム１１２の回転に同期して搬送されたシートの第１面には、転写帯電器１１５により感光体ドラム１１２のトナー画像が転写される。
【００３１】
１１７はトナー画像が転写されたシートを搬送する搬送ベルト、１１８は定着装置、１１９は排出ローラである。トナー画像が形成されたシー卜は、搬送ベルト１１７により定着装置１１８に搬送されて、トナー画像が加熱および加圧されてシートの表面に定着された後、排出ローラ１１９によって画像形成装置本体Ａの外部に配置された排紙トレイ１２０に排出、積載される。
【００３２】
また、シートの両面にトナー画像を記録する場合には、定着装置１１８から排出されたシートが排出ローラ１１９に挟持され、シートの後端が分岐点２０７を通過した時点で、排出ローラ１１９が逆転し、シート両面トレイ１２１上に一旦載置される。その後、シートは、搬送ローラ１０４，１０５により搬送されて、レジストローラ１０６に到達し、第２面に前述と同様にしてトナー画像を転写させた後、排紙トレイ１２０に排出、積載させるように構成されている。
【００３３】
図２は、本発明の第１の実施の形態に係る給紙装置を示す斜視図である。
【００３４】
同図において、給紙装置は、シートを積載するカセット１と、カセット１上のシートの浮き上りを防止する押圧手段としての押圧部材５０１と、この押圧部材５０１の押圧動作を解除する押圧解除手段としての押圧解除装置５０３と、カセット１からシートを取り出して画像形成装置本体Ａに給送するピックアップローラ３などの給送機構とを備えたものである。押圧部材５０１にはシートの給紙方向への摩擦力を低下させる低摩擦手段としての回転コロ５０２が回転自在に取り付けられている。
【００３５】
押圧解除装置５０３は、押圧部材５０１の係止リング５０１ａに係止するフック部５０３ｂを有する押圧解除レバー５０３ａと、装置本体側に支持され、押圧解除レバー５０３ａの回転中心となる軸５０３ｃと、この軸５０３ｃに固着され、軸５０３ｃを回動させる回動アーム５０３ｄと、この回動アーム５０３ｄの一端に取り付けられ、押圧解除レバー５０３ａのフック部５０３ｂを係止リング５０１ａに係止させるように回動させる解除バネ５０４とを備えている。
【００３６】
また、シートカセット１には、回動アーム５０３ｄの他端と当接する係合部としての突起部１ｘが形成され、シートカセット１が画像形成装置本体ＡあるいはシートデッキＤに装着されたときに、突起部１ｘに回動アーム５０３ｄの他端が当接するように回動アーム５０３ｄは装置本体に回動自在に軸支されている。
【００３７】
シートカセット１を装置本体に装着されたときに、回動アーム５０３ｄの他端が突起部１ｘに当接することにより、回動アーム５０３ｄの一端は解除バネ５０４の引張力に抗して押下するので、回動アーム５０３ｄは、軸５０３ｃを中心に矢印Ｃ方向に回動する。したがって、押圧解除レバー５０３ａも同方向に回動することになり、これにより係止リング５０１ａはフック部５０３ｂによって係止されない状態となるので、押圧部材５０１は自重でシートを上部から押圧することになる。
【００３８】
このように押圧部材５０１がシートを上部から押圧しているため、シートの上部方向の移動が規制され、環境変化などによるシートの変形が防止される。また、シートカセット１からシートを給紙する場合は、回転コロ５０２が回転するために、押圧部材５０１とシートとの接触面でのシート給紙方向への摩擦力が低減するため、ピックアップローラ３によりシートを容易に繰り出すことができる。
【００３９】
また、シートカセット１を装置本体から引き出すと、突起部１ｘと回動アーム５０３ｄの他端との当接が解除されるので、回動アーム５０３ｄは解除バネ５０４の引張力によって矢印Ｃ方向と逆方向に回動するために、押圧解除レバー５０３ａが回動アーム５０３ｄの回動方向と同方向に回動し、フック部５０３ｂによって係止リング５０１ａを係止する。このため、押圧部材５０１は押圧解除レバー５０３ａによって吊り上げられて、押圧部材５０１がシートカセット１の側壁１ｙの上端より上側に位置することになりシートカセット１を引き抜くことが可能となる。
【００４０】
シートカセット１を装置本体に装着する場合は、押圧部材５０１がシートカセット１の側壁１ｙを乗り越えてから突起部１ｘが回動アーム５０３ｄの他端に当接することになる。
〈第２の実施の形態〉
次に、図３に基づいて本発明の第２の実施の形態を説明する。
【００４１】
図３は、本発明の第２の実施の形態に係る給紙装置を示す斜視図で、図３において、図２と同一または均等な構成部分には同一符号を付して重複説明を省略する。
【００４２】
前述の実施の形態の給紙装置は、シートカセット１を装置本体に装着することによって押圧部材５０１がシートを上部から押圧するように構成したが、本実施の形態の給紙装置は、シートカセット１を装置本体に装着する際および装置本体に装着されたシートカセット１からシートを給送する際に、回動レバー５１３を回動させるように構成したものである。
【００４３】
すなわち、シートの押圧解除装置５１０は、支持手段としての回動レバー５１３の回動操作を、その一端に取り付けられた駆動手段としてのキープソレノイド５１１によって行うように構成したもので、回動レバー５１３の他端には、回動レバー５１３の回動中心となる押圧解除レバー５０３ａの軸５０３ｃが取付けられ、回動レバー５１３と押圧解除レバー５０３ａとが対応して回動するように構成されている。さらに、回動レバー５１３の中間には、解除バネ５０４が取付けられている。
【００４４】
キープソレノイド５１１は、制御手段としてのマイコンなどの制御部５１２に接続されており、制御部５１２からの電流の通電方向によって可動鉄心５１１ａをコイルに対して突出させたり、コイル内に引き寄せたりして回動レバー５１３を軸５０３ｃを中心に回動させるものである。つまり、キープソレノイド５１１を順方向に通電させることにより可動鉄心５１１ａを引き寄せ、逆方向に通電させることにより可動鉄心５１１ａを突出させて回動レバー５１３を回動させる。そして、制御部５１２はキープソレノイド５１１を一度、順方向または逆方向に通電させることにより可動鉄心５１１ａが引き寄せ位置または突出位置のいずれかを保持するように構成されている。また、制御部５１２には、検知手段としてのセンサＳが接続されている。このセンサＳは、シートカセット１が装置本体に装着されているか否かを検知するものである。
【００４５】
カセット１が装置本体に装着されている状態で、シートがシートカセット１から給送されていない場合、回動レバー５１３の一端は、キープソレノイド５１１の可動鉄心５１１ａを介して下方向に引き寄せられる。このため、押圧解除レバー５０３ａのフック部５０３ｂは係止リング５０１ａに係止せず、押圧部材５０１によってシートを上部から押圧する。このように押圧部材５０１がシートを押圧して浮き上がりを防止しているため、シートの移動が規制され、環境の変化によるシートの変形を防止することになる。
【００４６】
装置本体からカセット１を引き出すと、シートカセット１が引き出されたことをセンサＳが検知し、制御部５１２はキープソレノイド５１１に逆方向の電流を通電する。このため、回動レバー５１３の一端側は解除バネ５０４の助けを借りて押し上げられ、軸５０３ｃを介して押圧解除レバー５０３ａも回動レバー５１３と同方向に連動して回動し、フック部５０３ｂが持ち上がることになる。これによりフック部５０３ｂが係止リング５０１ａに係止してシートカセット１の側壁１ｙより上方に押圧部材５０１を吊り上げることになり、シートカセット１を装置本体から引き出すことができる。
【００４７】
シートカセット１を装置本体に装着すると、シートカセット１が装置本体に装着されたことをセンサＳが検知し、キープソレノイド５１１が制御部５１２によって順方向に通電される。このため、回動レバー５１３の一端側は解除バネ５０４のバネ力に抗して下方向に引き寄せられる。これにより押圧解除レバー５０３ａのフック部５０３ｂが下がり、押圧部材５０１によってシートを上部から押圧する。
【００４８】
また、シートカセットが装置本体に装着された状態で、シートの搬送が開始されると、制御部５１２はキープソレノイド５１１に逆方向の電流を通電する。そして、回動レバー５１３の一端側は解除バネ５０４の助けを借りて押し上げられ、軸５０３ｃを介して押圧解除レバー５０３ａも回動レバー５１３と同方向に連動して回動する。これによりフック部５０３ｂが係止リング５０１ａに係止して押圧部材５０１を吊り上げることになる。このため、押圧部材５０１によるシートの上部からの押圧力が解除される。したがって、シートをシートカセット１から繰り出すときの給紙方向へのピックアップローラによる繰り出し力が低くても繰り出すことができる。これにより確実に、かつ容易にシートを繰り出すことができる。また、分離部に一度に複数枚のシートが繰り出されても、確実に分離することができる。
【００４９】
シートの搬送が止まると、制御部５１２はキープソレノイド５１１に順方向の電流を通電し、可動鉄心５１１ａを引き寄せて回動レバー５１３を下方向に回動させる。これにより、押圧部材５０１はシートを上部から押圧することになる。このため、シートは上部方向の移動が規制され、環境の変化などによるシートの変形を防止することになる。
〈第３の実施の形態〉
次に、図４ないし図７に基づいて本発明の第３の実施の形態を説明する。
【００５０】
図４は、本発明の第３の実施の形態に係る給紙装置を示す斜視図、図５は、紙種設定手段が装着されたカセットを示す斜視図、図６は、カセット側と画像形成装置本体側とに分離された紙種設定手段を抽出して示す断面図、図７（ａ）は、紙種設定手段を示す平面図、同図（ｂ）は同図（ａ）のｂ−ｂ線断面図、同図（ｃ）は同図（ｂ）のｃ−ｃ線断面図で、図４ないし図７において、図３と同一または均等な構成部分には同一符号を付して重複説明を省略する。
【００５１】
図５ないし図７において、シート収納部としての給紙カセット１０１には、設定手段としての紙種および紙サイズ設定ダイヤル（以下、単に「ダイヤル」と略記する）３０１が設けられている。このダイヤル３０１の軸３０４には、複数のスイッチ切替円盤３０５が支持されている。それぞれのスイッチ切替円盤３０５の外周面には図７（ｃ）に示すようなそれぞれ異なる切欠溝３０５ａが形成されている。
【００５２】
また、画像形成装置本体３０２の給紙カセット１０１と対向する面には、各スイッチ切替円盤３０５の外周面に当接する設定検知手段としての複数のタクトスイッチ３０３が配設されている。そして、スイッチ切替円盤３０５の切欠溝３０５ａの位置をダイヤル３０１に示された各サイズや紙種毎にずらせるとともに、切欠溝３０５ａの位置を組合せることによりタクトスイッチ３０３のオン・オフ信号を組合せて制御部５１２においてサイズや紙種を検知させるようにしている。これにより画像形成装置本体３０２に装着された給紙カセット１０１に積載されたシートのサイズや紙種が判断できるようになっている。
【００５３】
なお、封筒の場合は、サイズが千差万別であるので、ダイヤル３０１で紙種の設定を行う。封筒の紙種設定のときには、給紙シーケンス上では、紙長さを固定（最大値）するようにしている。
【００５４】
シートの紙種が封筒で、この封筒を収納したシートカセット１０１を装置本体に装着した場合、タクトスイッチ３０３のオン・オフによって装置本体に装着されたシートカセット１０１に収納されているシートは、封筒であると制御部５１２が判断する。これにより制御部５１２は、キープソレノイド５１１に逆方向の電流を通電する。
【００５５】
このため、回動レバー５１３の一端側は解除バネ５０４の助けを借りて押し上げられ、軸５０３ｃを介して押圧解除レバー５０３ａも回動レバー５１３と同方向に連動して持ち上げられる。これによりフック部５０３ｂが係止リング５０１ａに係止して押圧部材５０１を吊り上げることになるので、押圧部材５０１によるシートの上部からの押圧力が常に解除される。
【００５６】
この他のシートを収納したシートカセット１０１を装置本体から抜くときや装着するとき、およびシートカセット１０１が装置本体に装着された状態で、シートの搬送中またはシートを搬送していないときのキープソレノイド５１１や回動レバー５１３や押圧解除レバー５０３ａなどの動作は上述の第２の実施の形態と同様であるので、その動作説明は省略する。
【００５７】
紙種が封筒以外の場合、封筒以外のシートを収納したシートカセット１０１を装置本体から引き抜くときやシートカセットが装置本体に装着された状態でシートの搬送を行うときには、制御部５１２はキープソレノイド５１１に逆方向の電流を通電して回動レバー５１３の一端側を解除バネ５０４の助けを借りて押し上げ、同時に回動レバー５１３の回動に連動して押圧解除レバー５０３ａも持ち上げる。このため、押圧部材５０１はフック部５０３ｂによって吊り上げることになるので、押圧部材５０１によるシートの上部からの押圧力が解除される。
【００５８】
したがって、シートの押圧力が解除し、シートを繰り出すときの給紙方向への繰り出し力が高くなるのを防ぐことができる。これによりシートの繰り出しを安定して行うことができ、分離部に複数枚のシートが繰り出されても、安定して分離することができる。また、シートが封筒の場合の反り、ひずみなどの変形を防止するとともに、給紙不良や搬送不良や画像記録不良の発生を防止し、シートが封筒以外のときに、給紙不良や搬送性能を安定することができる。
【００５９】
このように本実施の形態では、シートが特殊紙であることをダイヤル３０１により検知できるようにし、シートとして封筒が積載されていることがわかる。これにより、封筒などの特殊紙以外が積載されている場合のみ、押圧部材の押圧動作を行い、シートの反り、歪みなどの変形を防止するものである。また、特殊紙が積載されている場合に、押圧部材５０１の押圧操作を常に解除する。押圧が解除されていないと、特殊紙と特殊紙との糊付け部分が押圧のために貼り付き、特殊紙と特殊紙の摩擦力は大きくなる。したがって、繰り出しにくくなり、分離しずらくなる。
【００６０】
そのため、シートの変形が少ない場合は、押圧を行わない方が、給紙や分離性能を安定させることができる。したがって、特殊紙が積載されている場合に、常に押圧を解除することにより、給紙や分離性能を安定させることができる。
【００６１】
【発明の効果】
以上説明したように、本発明によれば、シート収納部を装着することによって押圧手段によりシートを上部から押圧してシートの浮き上がりを防止するようにしたので、シートの反り・歪みなどによる変形を防止でき、シートの送り不良や重送や連送などの給紙不良、ジャムや斜行などの搬送不良、および画像歪みなどの記録画像不良の発生を防止することができる。
【図面の簡単な説明】
【図１】画像形成装置本体の全体構成を説明する概略構成図である。
【図２】本発明の第１の実施の形態に係る給紙装置を示す斜視図である。
【図３】本発明の第２の実施の形態に係る給紙装置を示す斜視図である。
【図４】本発明の第３の実施の形態に係る給紙装置を示す斜視図である。
【図５】紙種設定手段が装着されたカセットを示す斜視図である。
【図６】カセット側と画像形成装置本体側とに分離された紙種設定手段を抽出して示す断面図である。
【図７】（ａ）は、紙種設定手段を示す平面図、同図（ｂ）は同図（ａ）のｂ−ｂ線断面図、同図（ｃ）は同図（ｂ）のｃ−ｃ線断面図である。
【図８】従来の給紙装置の一例を示す概略構成図である。
【図９】従来の給紙装置のカセット部の一例を示す斜視図である。
【図１０】従来の給紙装置のカセット部の他の例を示す斜視図である。
【符号の説明】
１        シート収納部（シートカセット）
１０１        シート収納部（給紙カセット）
３０１        設定手段（紙種および紙サイズ設定ダイヤル）
３０３        設定検知手段（タクトスイッチ）
５０１        浮き上り防止手段（押圧部材）
５０２        回転コロ
５０３ａ      押圧解除手段（押圧解除レバー）
５０３ｄ      押圧解除手段（回動アーム）
５０４        押圧解除手段（解除ばね）
５１１        駆動手段（キープソレノイド）
５１３        支持手段（回動レバー）
Ｃ        画像形成手段（画像形成部）
【図１】
0003673638.tif 000002
【図２】
0003673638.tif 000003
【図３】
0003673638.tif 000004
【図４】
0003673638.tif 000005
【図５】
0003673638.tif 000006
【図６】
0003673638.tif 000007
【図７】
0003673638.tif 000008
【図８】
0003673638.tif 000009
【図９】
0003673638.tif 000010
【図１０】
0003673638.tif 000011